【手続補正書】
【提出日】平成19年12月5日(2007.12.5)
【手続補正１】
【補正対象書類名】特許請求の範囲
【補正対象項目名】全文
【補正方法】変更
【補正の内容】
【特許請求の範囲】
【請求項１】
医用画像診断装置に接続される端末と、当該端末に対してネットワークを介して前記医用画像診断装置のメンテナンスレポートを送信するサービスセンタシステムとを有する画質管理システムにおいて、
前記端末は、
前記サービスセンタシステムの第２の送信手段から送信されたレポートを受信する第１の受信手段と、
前記医用画像診断装置で撮影された画像又は当該画像に関する画質パラメータを、前記ネットワークを介して送信する第１の送信手段とを備え、
前記サービスセンタシステムは、
前記端末の第１の送信手段により送信された画像又は画質パラメータを受信する第２の受信手段と、
前記第２の受信手段により受信された画像若しくは画質パラメータから、前記医用画像診断装置における画質パラメータを記憶する画質パラメータデータベースと、
この画質パラメータデータベースに記憶された画質パラメータが所定の基準値内に含まれるか否か判定する判定手段と、
この判定手段による画質パラメータの判定結果を含むレポートを作成するレポート作成手段と、
このレポート作成手段により作成された画質パラメータの判定結果を含むレポートを前記ネットワークを介して前記端末の第１の受信手段に送信する第２の送信手段と、
を備えることを特徴とする画質管理システム。
【請求項２】
医用画像診断装置に接続される端末に対してネットワークを介して前記医用画像診断装置のメンテナンスレポートを送信するサービスセンタシステムを有する画質管理システムにおいて、
前記サービスセンタシステムは、
前記端末に備えられる第１の送信手段により前記ネットワークを介して送信された、前記医用画像診断装置で撮影された画像又は当該画像に関する画質パラメータを受信する第２の受信手段と、
前記第２の受信手段により受信された画像若しくは画質パラメータから、前記医用画像診断装置における画質パラメータを記憶する画質パラメータデータベースと、
この画質パラメータデータベースに記憶された画質パラメータが所定の基準値内に含まれるか否か判定する判定手段と、
この判定手段による画質パラメータの判定結果を含むレポートを作成するレポート作成手段と、
このレポート作成手段により作成された画質パラメータの判定結果を含むレポートを前記ネットワークを介して前記端末に備えられる第１の受信手段に送信する第２の送信手段と、
を備えることを特徴とする画質管理システム。
【請求項３】
前記画質パラメータは、分解能、コントラスト値、線形値を含むことを特徴とする請求項１または２記載の画質管理システム。
【請求項４】
前記医用画像診断装置は、Ｘ線ＣＴ装置であって、
前記レポート作成手段は、画質パラメータ情報として、所望のファントムにおけるＣＴ値線形性、ローコントラスト、空間分解能（ＭＴＦ）、ノイズ、スライス幅、均一性に関するレポートを作成することを特徴とする請求項１乃至３のいずれか１項に記載の画質管理システム。
【請求項５】
前記サービスセンタシステムは、前記ネットワークを介して前記医用画像診断装置が設置された環境情報を収集・記憶する環境情報データベースを更に備え、
前記レポート作成手段は、前記画質パラメータの判定結果、及び前記環境情報を含むレポートを作成することを特徴とする請求項１乃至４のいずれか１項に記載の画質管理システム。
【請求項６】
前記サービスセンタシステムは、前記ネットワークを介して前記医用画像診断装置の動作情報を収集・記憶する装置動作情報データベースを更に備え、
前記レポート作成手段は、前記画質パラメータの判定結果、及び前記医用画像診断装置のキャリブレーションに関係する情報を含むレポートを作成することを特徴とする請求項１乃至５のいずれか１項に記載の画質管理システム。
【請求項７】
前記サービスセンタシステムは、前記ネットワークを介して前記医用画像診断装置の動作情報を収集・記憶する装置動作情報データベースを更に備え、
前記レポート作成手段は、所望のファントムにおけるＣＴ値線形性、ローコントラスト、空間分解能（ＭＴＦ）、ノイズ、スライス幅、均一性に関する情報と共に、前記装置動作情報データベースに記憶された最近のキャリブレーション、撮影室の温度・湿度、管球使用量に関する情報を、前記レポートとして作成することを特徴とする請求項４記載の画質管理システム。
【請求項８】
前記最近のキャリブレーションに関する情報は、Ｘ線管への管電圧、管電流、スキャン時間、ＦＯＶの組み合わせを収集した実施日時であり、前記管球使用量情報はＸ線管の曝射時間、ローテーションカウントに関する情報であることを特徴とする請求項７記載の画質管理システム。
【請求項９】
前記レポート作成手段は、前記画質パラメータの経時的変化が認識できるように最新の情報及び過去の情報を比較表示することを特徴とする請求項１乃至８のいずれか１項に記載の画質管理システム。
【請求項１０】
前記判定手段は、前記画質パラメータが基準値外と判定された場合、前記装置動作情報データベースに記憶された前記撮影室の環境情報及びキャリブレーション情報の少なくとも一方の正常／異常を判定することにより、前記画質パラメータが基準値外と判定された原因が撮影室の環境によるものか或いはどの部品の故障かを解析することを特徴とする請求項１乃至９のいずれか１項に記載の画質管理システム。
【請求項１１】
前記画質パラメータは、前記医用画像診断装置でファントムを撮影したときの画質パラメータであることを特徴とする請求項１乃至１０のいずれか１項に記載の画質管理システム。
【請求項１２】
前記第２の送信手段は、前記判定手段により前記画質パラメータが基準値外と判定された場合、その旨を前記端末、前記医用画像診断装置、及びサービスエンジニアが所有する端末の少なくともいずれかに送信することを特徴とする請求項１乃至１１のいずれか１項に記載の画質管理システム。
【請求項１３】
前記判定手段により前記画質パラメータが基準値外と判定された場合、この判定結果に基づいて、前記医用画像診断装置の故障解析手順、故障を修復するための部品、故障を修復するための修復手順の少なくともいずれかを決定することを特徴とする請求項１乃至１２のいずれか１項に記載の画質管理システム。
【手続補正２】
【補正対象書類名】明細書
【補正対象項目名】０００７
【補正方法】変更
【補正の内容】
【０００７】
本発明に係る画質管理システムは、上述した課題を解決するために、医用画像診断装置に接続される端末と、当該端末に対してネットワークを介して前記医用画像診断装置のメンテナンスレポートを送信するサービスセンタシステムとを有する画質管理システムにおいて、前記端末は、前記サービスセンタシステムの第２の送信手段から送信されたレポートを受信する第１の受信手段と、前記医用画像診断装置で撮影された画像又は当該画像に関する画質パラメータを、前記ネットワークを介して送信する第１の送信手段を備え、前記サービスセンタシステムは、前記端末の第１の送信手段により送信された画像又は画質パラメータを受信する第２の受信手段と、前記第２の受信手段により受信された画像若しくは画質パラメータから、前記医用画像診断装置における画質パラメータを記憶する画質パラメータデータベースと、この画質パラメータデータベースに記憶された画質パラメータが所定の基準値内に含まれるか否か判定する判定手段と、この判定手段による画質パラメータの判定結果を含むレポートを作成するレポート作成手段と、このレポート作成手段により作成された画質パラメータの判定結果を含むレポートを前記ネットワークを介して前記端末の第１の受信手段に送信する第２の送信手段とを備えるものである。また、本発明に係る画質管理システムは、上述した課題を解決するために、医用画像診断装置に接続される端末に対してネットワークを介して前記医用画像診断装置のメンテナンスレポートを送信するサービスセンタシステムを有する画質管理システムにおいて、前記サービスセンタシステムは、前記端末に備えられる第１の送信手段により前記ネットワークを介して送信された、前記医用画像診断装置で撮影された画像又は当該画像に関する画質パラメータを受信する第２の受信手段と、前記第２の受信手段により受信された画像若しくは画質パラメータから、前記医用画像診断装置における画質パラメータを記憶する画質パラメータデータベースと、この画質パラメータデータベースに記憶された画質パラメータが所定の基準値内に含まれるか否か判定する判定手段と、この判定手段による画質パラメータの判定結果を含むレポートを作成するレポート作成手段と、このレポート作成手段により作成された画質パラメータの判定結果を含むレポートを前記ネットワークを介して前記端末に備えられる第１の受信手段に送信する第２の送信手段とを備えるものである。